(57)【要約】      （修正有）【課題】放送録画装置と携帯用コンテンツ再生装置との間の放送コンテンツ同期化方法及びその装置を提供する。【解決手段】携帯用コンテンツ再生装置から携帯用コンテンツ再生装置に保存された放送コンテンツについてのメタデータを獲得するステップ、獲得したメタデータを使用して携帯用コンテンツ再生装置に保存された放送コンテンツのうち、再生済みの放送コンテンツを確認するステップ、確認された放送コンテンツの次回に該当する放送コンテンツを録画された放送コンテンツのうちから検索するステップ、及び検索された放送コンテンツを携帯用コンテンツ再生装置に保存させるステップを含む放送コンテンツ同期化方法。【選択図】図７
2007089178.tif 000002
【特許請求の範囲】
【請求項１】
携帯用コンテンツ再生装置から前記携帯用コンテンツ再生装置に保存された放送コンテンツについてのメタデータを獲得するステップと、
前記獲得したメタデータを使用して前記携帯用コンテンツ再生装置に保存された放送コンテンツのうち、再生済みの放送コンテンツを確認するステップと、
前記確認された放送コンテンツの次回に該当する放送コンテンツを録画された放送コンテンツのうちから検索するステップと、
前記検索された放送コンテンツを前記携帯用コンテンツ再生装置に保存させるステップと、を含む放送コンテンツ同期化方法。
【請求項２】
前記メタデータは、放送コンテンツについての詳細及び再生履歴を示すコンテンツ情報及び再生履歴情報を含む請求項１に記載の放送コンテンツ同期化方法。
【請求項３】
前記コンテンツ情報は、タイトル、前記放送コンテンツと関連したシリーズ放映物の全体エピソード数、前記放送コンテンツの現在エピソード順番、ジャンル、放映曜日、放映日付、放映時間帯、及び前記放送コンテンツと関連したシリーズ放映物を識別するシリアルナンバーのうち、少なくとも１つを含み、前記再生履歴情報は、再生回数、最近の再生日時、及び最近の再生位置のうち、少なくとも１つを含む請求項２に記載の放送コンテンツ同期化方法。
【請求項４】
前記携帯用コンテンツ再生装置に保存させる放送コンテンツについてのメタデータを前記携帯用コンテンツ再生装置に保存させるステップをさらに含む請求項１に記載の放送コンテンツ同期化方法。
【請求項５】
前記保存させるステップは、
前記検索された放送コンテンツを前記携帯用コンテンツ再生装置が再生可能なファイルフォーマットに変換させるステップと、
前記変換された放送コンテンツを前記携帯用コンテンツ再生装置に保存させるステップと、を含む請求項１に記載の放送コンテンツ同期化方法。
【請求項６】
前記保存させるステップは、
前記検索された放送コンテンツのファイルサイズを臨界比率ほど減少させるステップと、
前記ファイルサイズが減少した放送コンテンツを前記携帯用コンテンツ再生装置に保存させるステップと、を含む請求項１に記載の放送コンテンツ同期化方法。
【請求項７】
前記検索結果、前記次回に該当する放送コンテンツが検索されない場合、前記次回に該当する放送コンテンツに対する予約録画を設定するステップをさらに含む請求項１に記載の放送コンテンツ同期化方法。
【請求項８】
前記確認結果、前記再生が完了した放送コンテンツを前記携帯用再生装置で削除するステップをさらに含む請求項１に記載の放送コンテンツ同期化方法。
【請求項９】
前記獲得したメタデータと予め保存されたメタデータを同期化させるステップをさらに含む請求項１に記載の放送コンテンツ同期化方法。
【請求項１０】
前記同期化されたメタデータと前記獲得したメタデータとを使用して前記検索された放送コンテンツが前記携帯用コンテンツ再生装置に保存されているか否かを判断するステップをさらに含み、前記保存させるステップは、前記判断結果、前記検索された放送コンテンツが前記携帯用コンテンツ再生装置に保存されていない場合に行われる請求項９に記載の放送コンテンツ同期化方法。
【請求項１１】
前記同期化されたメタデータを使用して前記検索された放送コンテンツが再生が完了した放送コンテンツであるか否かを判断するステップをさらに含み、前記保存させるステップは、前記判断結果、前記検索された放送コンテンツが再生が完了していない放送コンテンツである場合に行われる請求項９に記載の放送コンテンツ同期化方法。
【請求項１２】
前記判断結果、前記検索された放送コンテンツの再生が完了した場合、前記検索された放送コンテンツの次回に該当する放送コンテンツを検索するステップをさらに含む請求項１１に記載の放送コンテンツ同期化方法。
【請求項１３】
放送コンテンツを録画する放送録画モジュールと、
携帯用コンテンツ再生装置と通信を行うインターフェースモジュールと、
前記携帯用コンテンツ再生装置に保存された放送コンテンツのうち、再生済みの放送コンテンツの次回に該当する放送コンテンツを前記録画された放送コンテンツのうちから検索し、前記検索された放送コンテンツを前記携帯用コンテンツ再生装置に保存させるコンテンツ同期化モジュールを備える放送録画装置。
【請求項１４】
前記コンテンツ同期化モジュールは、
前記携帯用コンテンツ再生装置に保存されたコンテンツについてのメタデータを前記携帯用コンテンツ再生装置から獲得して事前に保存されたメタデータと同期化させるメタデータ管理モジュールと、
前記携帯用コンテンツ再生装置から獲得したメタデータと前記同期化されたメタデータとを使用して前記携帯用コンテンツ再生装置に保存されたコンテンツのうち、再生済みの放送コンテンツを確認し、前記確認された放送コンテンツの次回に該当する放送コンテンツを前記録画された放送コンテンツのうちから検索するコンテンツ検索モジュールと、
前記検索モジュールにより検索された放送コンテンツを前記携帯用コンテンツ再生装置に保存させるコンテンツ管理モジュールと、を含む請求項１３に記載の放送録画装置。
【請求項１５】
前記コンテンツ管理モジュールは、前記コンテンツ検索モジュールの検索結果、前記次回に該当する放送コンテンツが検索されない場合、前記次回に該当する放送コンテンツに対する予約録画を設定する請求項１４に記載の放送録画装置。
【請求項１６】
前記コンテンツ管理モジュールは、前記コンテンツ検索モジュールが再生が完了したと確認した放送コンテンツを前記携帯用再生装置で削除する請求項１４に記載の放送録画装置。
【請求項１７】
前記メタデータは、放送コンテンツについての詳細及び再生履歴を示すコンテンツ情報及び再生履歴情報を含む請求項１４に記載の放送録画装置。
【請求項１８】
前記コンテンツ情報は、タイトル、前記放送コンテンツと関連したシリーズ放映物の全体エピソード数、前記放送コンテンツの現在エピソード順番、ジャンル、放映曜日、放映日付、放映時間帯、及び前記放送コンテンツと関連したシリーズ放映物を識別するシリアルナンバーのうち、少なくとも１つを含み、前記再生履歴情報は、再生回数、最近の再生日時、及び最近の再生位置のうち、少なくとも１つを含む請求項１７に記載の放送録画装置。
【請求項１９】
前記携帯用コンテンツ再生装置に保存させる放送コンテンツを前記携帯用コンテンツ再生装置が再生可能なファイルフォーマットに変換させる変換モジュールをさらに備える請求項１３に記載の放送録画装置。
【請求項２０】
前記携帯用コンテンツ再生装置に保存させる放送コンテンツのファイルサイズを臨界比率ほど減少させる変換モジュールをさらに備える請求項１３に記載の放送録画装置。
【発明の詳細な説明】
【技術分野】
【０００１】
本発明は、放送コンテンツ同期化方法に係り、さらに詳細には、放送録画装置と携帯用コンテンツ再生装置との間の放送コンテンツ同期化方法及びその装置に関する。
【背景技術】
【０００２】
最近ＰＭＰ（ポータブルマルチメディアプレーヤ）のような携帯用コンテンツ再生装置の普及が広がっている。携帯用コンテンツ再生装置は、動画像コンテンツを保存しうるメモリを含み、動画像コンテンツの再生機能を有する。したがって、ユーザは放送業者から提供される放送コンテンツをＰＶＲのような放送録画装置で録画しておいて、これを携帯用コンテンツ再生装置に保存させることによって、移動中にも放送コンテンツを鑑賞可能にした。
【０００３】
ところが、従来の技術によって、放送録画装置から携帯用コンテンツ再生装置に放送コンテンツを保存させるためには、多段階にわたったユーザの手作業が必要である。例えば、ユーザは、携帯用コンテンツ再生装置で既に鑑賞を終えた放送コンテンツを削除させ、鑑賞を終えた放送コンテンツの次回に該当する放送コンテンツを放送録画装置から検索する。この際、ユーザは、次回に該当する放送コンテンツが検索されば、該当放送コンテンツを携帯用コンテンツ再生装置に保存させ、次回に該当する放送コンテンツが検索されないと、該当放送コンテンツに対する予約録画を設定せねばならない。
【０００４】
特に、ユーザがよく視聴する放送コンテンツが連続ドラマのようなシリーズ放映物である場合、前述したような放送コンテンツを検索し、録画して、携帯用コンテンツ再生装置に保存させるための作業を毎度ユーザの手作業に依存することは、ユーザの不便さを加重させる。
【０００５】
これにより、さらに簡便に放送録画装置と携帯用コンテンツ再生装置との間に放送コンテンツを同期化させるための技術が要求された。
【０００６】
一方、特許文献１は、シリーズ物の放送プログラムを自動で予約録画しうる技術を開示しているが、本発明のような携帯用コンテンツ再生装置と放送録画装置との間に放送コンテンツを自動で同期化させる技術については言及されていない。
【特許文献１】韓国公開特許第１９９８−０２３１２６号公報
【発明の開示】
【発明が解決しようとする課題】
【０００７】
本発明は、シリーズ物の放送コンテンツを携帯用コンテンツ再生装置に自動で保存させるところにその目的がある。
【０００８】
本発明の目的は、以上で言及した目的に制限されず、言及されていない他の目的は下の記載から当業者に明確に理解されうる。
【課題を解決するための手段】
【０００９】
前記目的を達成するための本発明の実施形態による放送コンテンツ同期化方法は、携帯用コンテンツ再生装置から前記携帯用コンテンツ再生装置に保存された放送コンテンツについてのメタデータを獲得するステップ、前記獲得したメタデータを使用して前記携帯用コンテンツ再生装置に保存された放送コンテンツのうち、再生済みの放送コンテンツを確認するステップ、前記確認された放送コンテンツの次回に該当する放送コンテンツを録画された放送コンテンツのうちから検索するステップ、及び前記検索された放送コンテンツを前記携帯用コンテンツ再生装置に保存させるステップを含む。
【００１０】
前記目的を達成するための本発明の実施形態による放送録画装置は、放送コンテンツを録画する放送録画モジュールと、携帯用コンテンツ再生装置と通信を行うインターフェースモジュールと、前記携帯用コンテンツ再生装置に保存された放送コンテンツのうち、再生済みの放送コンテンツの次回に該当する放送コンテンツを前記録画された放送コンテンツのうちから検索し、前記検索された放送コンテンツを前記携帯用コンテンツ再生装置に保存させるコンテンツ同期化モジュールを備える。
【発明の効果】
【００１１】
本発明の放送録画装置と携帯用コンテンツ再生装置との間の放送コンテンツ同期化方法及び装置によれば、次のような効果が１つあるいはそれ以上ある。
【００１２】
第１に、携帯用コンテンツ再生装置にシリーズ物の放送コンテンツを自動で保存させうる。
【００１３】
第２に、シリーズ物の放送コンテンツに対する予約録画を自動で設定しうる。
【発明を実施するための最良の形態】
【００１４】
本発明の利点及び特徴、そしてこれを達成する方法は添付された図面に基づいて詳細に後述されている実施例を参照すれば明確になる。しかし、本発明は以下で開示される実施例に限定されるものではなく、この実施例から外れて多様な形に具現でき、本明細書で説明する実施例は本発明の開示を完全にし、本発明が属する技術分野で当業者に発明の範ちゅうを完全に報せるために提供されるものであり、本発明は請求項及び発明の詳細な説明により定義されるだけである。一方、明細書全体に亙って同一な参照符号は同一な構成要素を示す。
【００１５】
以下、添付された図面を参照して本発明の望ましい実施形態を詳細に説明する。
【００１６】
図１は、本発明の一実施形態による放送コンテンツ同期化システムを示す図面である。
【００１７】
放送コンテンツ同期化システムは、放送受信装置２０、放送出力装置３０、放送録画装置１００及び携帯用コンテンツ再生装置２００を含む。
【００１８】
放送受信装置２０は、放送局から伝送される放送信号１０を受信し、受信された放送信号で放送コンテンツを復元する。本発明で利用しようとする放送コンテンツは、複数のエピソードからなる連続放映物であって、連続ドラマやシリーズ物として放映される映画などがその例である。その他にも、放送コンテンツは、ニュース、教養番組、娯楽番組のような定期的に放送される放映物でありうる。ここで、放送信号１０は地上波放送、衛星放送、ケーブル放送、及びインターネット放送のうち、少なくともいずれか１つによって伝送しうる。
【００１９】
一方、放送受信装置２０は、放送信号１０からＥＰＧ（エレクトロニックプログラムガイド）のような付加情報を抽出しうる。付加情報は、ジャンル、タイトル、放映時間帯、エピソード順番のような放送コンテンツについての詳細を含む。このような放送受信装置２０は、セットトップボックスや、ＰＣに装着されるＴＶ受信カードなどで具現されうる。
【００２０】
放送出力装置３０は、放送受信装置２０が復元した放送コンテンツまたは放送録画装置１００が録画した放送コンテンツをユーザに出力させる。このために放送出力装置３０は、オーディオ信号を出力するスピーカーとビデオ信号を出力するディスプレイとを備え得る。このような放送出力装置３０は、デジタルＴＶ、プロジェクター、モニタなどで具現されうる。
【００２１】
放送録画装置１００は、放送受信装置２０が復元した放送コンテンツを録画する。放送録画装置１００は、放送受信装置２０から放送コンテンツだけでなく、付加情報も獲得しうる。
【００２２】
一方、放送録画装置１００は、録画された放送コンテンツについてのメタデータを生成して管理する。メタデータは、放送コンテンツについてのコンテンツ情報と再生履歴情報とを含みうる。このうち、コンテンツ情報は、放送コンテンツについての詳細を含むが、放送録画装置１００は、放送受信装置２０から獲得した付加情報からコンテンツ情報を抽出しうる。再生履歴情報は、放送コンテンツに対する再生履歴を含むが、放送録画装置１００が録画した放送コンテンツを再生させるか、携帯用コンテンツ再生装置２００からメタデータを獲得する場合、再生履歴情報は最新情報にアップデートされる。このような放送録画装置１００としてＰＶＲ（パーソナルビデオレコーダー）、ＴＶ受信カードを内蔵したＰＣなどが使われうる。
【００２３】
本実施形態では、放送受信装置２０、放送出力装置３０、及び放送録画装置１００が各々別個の装置として図示されているが、これは例示的なものに過ぎず、放送受信装置２０、放送出力装置３０、及び放送録画装置１００のうち、２つ以上の装置を１つの装置に統合して具現することもできる。
【００２４】
携帯用コンテンツ再生装置２００は、放送コンテンツを保存しうる所定の記録媒体を含んで放送コンテンツを再生させうる携帯可能な装置である。携帯用コンテンツ再生装置２００は、自身が保存している放送コンテンツについてのメタデータを管理する。このような携帯用コンテンツ再生装置２００としてＰＭＰ、ＰＤＡ（パーソナルデジタルアシスタント）などが使われうる。
【００２５】
放送録画装置１００は、携帯用コンテンツ再生装置２００が連結されれば、携帯用コンテンツ再生装置２００からメタデータを獲得し、これを自身が保存しているメタデータと同期化させる。
【００２６】
放送録画装置１００が携帯用コンテンツ再生装置２００に保存されたメタデータを自身が保存しているメタデータと同期化させる時、再生履歴情報は、最近の情報にアップデートされる。放送録画装置１００は、同期化されたメタデータを通じてユーザが鑑賞を終えた放送コンテンツを確認でき、ユーザが鑑賞を終えた放送コンテンツの次回に該当する放送コンテンツを携帯用コンテンツ再生装置２００に自動で保存させるか、該当放送コンテンツの録画を自動で予約しうる。
【００２７】
以下、放送録画装置１００及び携帯用コンテンツ再生装置２００についてさらに具体的に説明する。
【００２８】
図２は、本発明の一実施形態による放送録画装置を示すブロック図である。
【００２９】
図示された放送録画装置１００は、録画モジュール１１０、コンテンツ再生モジュール１２０、ユーザ入力モジュール１３０、固定装置インターフェースモジュール１４０、携帯装置インターフェースモジュール１５０、認証モジュール１６０、コンテンツ同期化モジュール１７０、変換モジュール１８０、及び制御モジュール１９０を備える。
【００３０】
録画モジュール１１０は、放送受信装置２０が復元した放送コンテンツを録画する。このために録画モジュール１１０は、ハードディスクやフレッシュメモリのような記録媒体を備えうる。録画モジュール１１０により録画される放送コンテンツは、所定のビデオ圧縮方式によって圧縮されうるが、ビデオ圧縮方式の例としてＭＰＥＧ−２、ＭＰＥＧ−４などを挙げうる。
【００３１】
コンテンツ再生モジュール１２０は、録画モジュール１１０が録画した放送コンテンツを再生させる。コンテンツ再生モジュール１２０は、コンテンツを再生させるために録画モジュール１１０が使用したビデオ圧縮方式に対応するビデオ圧縮解除方式によって具現しうる。放送コンテンツ再生時にコンテンツ再生モジュール１２０は、再生させる放送コンテンツのメタデータに含まれた再生履歴情報を通じて最近の再生位置を確認し、確認された最近の再生位置から放送コンテンツを再生させうる。
【００３２】
ユーザ入力モジュール１３０は、ユーザから制御命令を入力される。このためにユーザ入力モジュール１３０は、キーボードやタッチスクリーンのような入力手段を含みうる。または、ユーザ入力モジュール１３０は、リモコン（図示せず）からユーザの制御命令を入力されるために赤外線受信器を備え得る。
【００３３】
固定装置インターフェースモジュール１４０は、有線または無線媒体を使用して放送受信装置２０及び放送出力装置３０と通信を行う。さらに具体的に、固定装置インターフェースモジュール１４０は、放送受信装置２０から放送コンテンツと放送コンテンツについての付加情報を受信し、放送出力装置３０にコンテンツ再生モジュール１２０が再生させる放送コンテンツを伝送する。固定装置インターフェースモジュール１４０は、放送受信装置２０及びコンテンツ出力装置３０との通信時に放送コンテンツの無断複製を防止するためにＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）やＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）のような保安プロトコルを使用しうる。また、固定装置インターフェースモジュール１４０は、放送受信装置２０及び放送出力装置３０との連結のための複数の通信ポートをも提供しうる。
【００３４】
携帯装置インターフェースモジュール１５０は、携帯用コンテンツ再生装置２００と通信を行う。このために携帯装置インターフェースモジュール１５０は、携帯用コンテンツ再生装置２００と有線または無線で連結可能である。携帯装置インターフェースモジュール１５０が携帯用コンテンツ再生装置２００との連結のために有線媒体を使用する場合、ＵＳＢ（ユニバーサルシリアルバス）、ＩＥＥＥ  （Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４などの有線通信プロトコルが使われ、無線媒体を使用する場合、ブルートゥース、ＷｉＦｉ、無線ＵＳＢ、無線ＩＥＥＥ  １３９４などの無線通信プロトコルが使われうる。その他にも、携帯装置インターフェースモジュール１５０は、アクセスポイントのようなデータ伝達中継装置を経て携帯用コンテンツ再生装置２００と通信をも行える。携帯装置インターフェースモジュール１５０は、携帯用コンテンツ再生装置２００との連結を自動で感知することもできるが、このためにＵＰｎＰ（Ｕｎｉｖｅｒｓａｌ  Ｐｌｕｇ  ａｎｄ  Ｐｌａｙ）のようなディバイス制御プロトコルが使われうる。
【００３５】
認証モジュール１６０は、携帯装置インターフェースモジュール１５０を通じて連結された携帯用コンテンツ再生装置２００に対して所定の認証作業を行う。例えば、認証モジュール１６０は、ユーザ入力モジュール１３０を通じて登録要請された携帯用コンテンツ再生装置２００の識別情報（例えば、携帯用コンテンツ再生装置の製品シリアルナンバーやＭＡＣアドレスなど）を保存しておいて、今後携帯装置インターフェースモジュール１５０を通じて連結される携帯用コンテンツ再生装置２００から識別情報を伝送されれば、これを保存しておいた識別情報と比較しうる。比較の結果、両識別情報が同一であれば、携帯用コンテンツ再生装置２００を正当な装置と判断しうる。
【００３６】
コンテンツ同期化モジュール１７０は、認証モジュール１６０により認証された携帯用コンテンツ再生装置２００とコンテンツ同期化作業を行う。このためにコンテンツ同期化モジュール１７０は、メタデータ管理モジュール１７２、コンテンツ検索モジュール１７４、及びコンテンツ管理モジュール１７６を含む。
【００３７】
メタデータ管理モジュール１７２は、録画モジュール１１０が録画した放送コンテンツについてのメタデータを生成して管理する。このためにメタデータ管理モジュール１７２は、放送受信装置２０から獲得した付加情報から録画モジュール１１０が録画した放送コンテンツについてのコンテンツ情報を抽出し、抽出されたコンテンツ情報と放送コンテンツについての再生履歴情報を含むメタデータを生成する。
【００３８】
メタデータ管理モジュール１７２は、コンテンツ再生モジュール１２０が放送コンテンツを再生させる場合、該当放送コンテンツのメタデータをアップデートする。この際、メタデータで再生履歴情報が最近の情報にアップデートされうる。また、メタデータ管理モジュール１７２は、携帯用コンテンツ再生装置２００からメタデータを獲得し、これを自身が管理するメタデータと同期化させる。この際、メタデータ管理モジュール１７２が管理するメタデータの再生履歴情報は最近の情報にアップデートされうる。
【００３９】
メタデータ管理モジュール１７２によって生成されて管理されるメタデータの一実施形態を図３にテーブルの形式で示す。
【００４０】
図３に示されたメタデータでコンテンツ情報３１０は、放送コンテンツのタイトル３１１、放送コンテンツと関連したシリーズ放映物の全体エピソード数３１２、放送コンテンツの現在のエピソード順番３１３、ジャンル３１４、放映曜日３１５、放映日付３１６、放映時間帯３１７などの情報を含む。その他にも、コンテンツ情報３１０は、放送コンテンツと関連したシリーズ放映物に対して放送事業者が割当てた所定のシリアルナンバーなど放送コンテンツについての多様な詳細をさらに含みうる。一方、再生履歴情報３２０は、放送コンテンツの再生回数３２１、最近再生日時３２２、放送コンテンツがどれほどまで再生されたかを示す最近の再生位置３２３などの情報を含む。再生履歴情報３２０は、例示されていない他の情報をさらに含みうる。
【００４１】
メタデータがメタデータ管理モジュール１７２によって生成される当時に再生履歴情報３２０は、所定の初期値に設定されうる。例えば、再生回数３２１は‘０’、最近再生日時３２２は‘００００−００−００  ＡＭ  ００：００：００’、最近再生位置３２３は、‘０ｘ００００００００’などに設定されうる。
【００４２】
また、図２を参照すれば、コンテンツ検索モジュール１７４は、携帯用コンテンツ再生装置２００に保存された放送コンテンツのうち、再生済みの放送コンテンツを確認し、確認された放送コンテンツの次回に該当する放送コンテンツを録画モジュール１１０により録画された放送コンテンツのうちから検索する。コンテンツ検索モジュール１７４は、放送コンテンツの検索のためにメタデータを使用しうる。
【００４３】
まず、携帯用コンテンツ再生装置２００に保存された放送コンテンツのうち、再生済みの放送コンテンツは携帯用コンテンツ再生装置２００から獲得したメタデータの再生履歴情報を通じて確認可能である。例えば、最近の再生時間が現在の時間から臨界時間以上の格差を有しているか、最近の再生位置が放送コンテンツの全体大きさのうち、臨界比率以上である場合、または再生回数が臨界回数以上である場合に、コンテンツ検索モジュール１７４は、このような再生履歴情報を有している放送コンテンツに対する再生が完了したと判断しうる。または再生履歴情報に含まれた各情報を複数組み合わせて放送コンテンツの再生完了如何を判断することできる。再生が完了した放送コンテンツは、ユーザが鑑賞を終えた放送コンテンツと解釈しうる。しかし、ユーザが鑑賞を終えた放送コンテンツの最近再生位置は、放送コンテンツの大きさと類似した値を有するので、最近の再生位置を通じて放送コンテンツの再生完了如何を判断することが望ましい。
【００４４】
一方、携帯用コンテンツ再生装置２００に保存された放送コンテンツのうち、再生済みと確認された放送コンテンツの次回に該当する放送コンテンツを検索する作業のためにコンテンツ検索モジュール１７４は、メタデータのコンテンツ情報を使用しうる。例えば、再生が完了したと確認された放送コンテンツのメタデータでコンテンツ情報に含まれるタイトルやシリアルナンバーなどを通じて同じシリーズの放送コンテンツを区分し、エピソード順番、放送日などを通じて次回に該当する放送コンテンツを検索しうる。
【００４５】
コンテンツ管理モジュール１７６は、コンテンツ検索モジュール１７４により検索された放送コンテンツを携帯用コンテンツ再生装置２００に保存させる。この際、コンテンツ管理モジュール１７６は、放送コンテンツのメタデータも共に携帯用コンテンツ再生装置２００に保存させうる。もし、コンテンツ検索モジュール１７４により検索された放送コンテンツがなければ、コンテンツ管理モジュール１７６は検索されていない放送コンテンツに対する予約録画を設定する。
【００４６】
一方、コンテンツ管理モジュール１７６は、メタデータ管理モジュール１７２により同期化されたメタデータを用いて携帯用コンテンツ再生装置２００に保存された放送コンテンツのうち、再生が完了した放送コンテンツを確認し、これを携帯用コンテンツ再生装置２００で削除しうる。
【００４７】
変換モジュール１８０は、携帯用コンテンツ再生装置２００に保存させる放送コンテンツについて所定の変換作業を行う。例えば、変換モジュール１８０は、携帯用コンテンツ再生装置２００に保存させる放送コンテンツのファイルサイズを臨界比率ほど減少させうるが、ファイルサイズを減少させるためにＦＧＳ（Ｆｉｎｅ  Ｇｒａｎｕｌａｒ  Ｓｃａｌａｂｉｌｉｔｙ）技術などのスケーラブルビデオコーディング技法が適用されうる。放送コンテンツのファイルサイズを減少させることによって、携帯用コンテンツ再生装置２００にさらに多くの放送コンテンツを保存させうる。他の実施形態として、変換モジュール１８０は、携帯用コンテンツ再生装置２００に保存させる放送コンテンツを携帯用コンテンツ再生装置２００が再生可能なファイルフォーマットに変化させる。例えば、録画モジュール１００が録画した放送コンテンツのファイルフォーマットの拡張子は、‘ｍｐｇ’であり、携帯用コンテンツ再生装置２００が再生可能な放送コンテンツのファイルフォーマットの拡張子は、‘ａｖｉ’である場合、変換モジュール１８０は、‘ｍｐｇ’ファイルを‘ａｖｉ’ファイルに変換させうる。携帯用コンテンツ再生装置２００が再生可能なファイルフォーマットは、携帯用コンテンツ再生装置２００が携帯装置インターフェースモジュール１５０に連結される時、携帯用コンテンツ再生装置２００から獲得するか、あるいはユーザがユーザ入力モジュール１３０を通じて登録しておいた携帯用コンテンツ再生装置２００についての情報を通じて獲得しうる。変換モジュール１８０により行われるファイルサイズの減少やファイルフォーマットの変換作業は、公知の技術によって行われるので、本発明ではその詳細な説明を省略する。
【００４８】
制御モジュール１９０は、放送録画装置１００を構成する各モジュール１１０ないし１８０の動作を制御する。
【００４９】
図４は、本発明の一実施形態による携帯用コンテンツ再生装置を示すブロック図である。
【００５０】
携帯用コンテンツ再生装置２００は、コンテンツ再生モジュール２１０、ユーザ入力モジュール２２０、インターフェースモジュール２３０、メタデータ管理モジュール２４０、保存モジュール２５０、及び制御モジュール２６０を含む。
【００５１】
コンテンツ再生モジュール２１０は、放送コンテンツを再生させる。コンテンツ再生モジュール２１０は、コンテンツを再生させるためにＭＰＥＧ−２（Ｍｏｖｉｎｇ  Ｐｉｃｔｕｒｅ  Ｅｘｐｅｒｔｓ  Ｇｒｏｕｐ−２）、ＭＰＥＧ−４（Ｍｏｖｉｎｇ  Ｐｉｃｔｕｒｅ  Ｅｘｐｅｒｔｓ  Ｇｒｏｕｐ−２）、ＡＶＩ（Ａｕｄｉｏ  Ｖｉｄｅｏ  Ｉｎｔｅｒｌｅａｖｉｎｇ）のようなビデオ圧縮解除方式によって具現されうる。放送コンテンツの再生時、コンテンツ再生モジュール２１０は、再生させる放送コンテンツのメタデータに含まれた再生履歴情報を通じて最近の再生位置を確認し、確認された最近の再生位置から放送コンテンツを再生させうる。
【００５２】
ユーザ入力モジュール２２０は、ユーザから制御命令を入力される。このためにユーザ入力モジュール２２０は、キーボードやタッチスクリーンのような入力手段を含みうる。
【００５３】
インターフェースモジュール２３０は、放送録画装置１００にデータを送信するか、放送録画装置１００からデータを受信する。このためにインターフェースモジュール２３０は、放送録画装置１００と有線または無線で連結しうる。したがって、インターフェースモジュール２３０は、多様な通信プロトコルを通じて具現可能である。例えば、インターフェースモジュール２３０が放送録画装置１００との連結のために有線媒体を使用する場合、ＵＳＢ、ＩＥＥＥ１３９４などの通信プロトコルが使われ、無線媒体を使用する場合、ブルートゥース、ＷｉＦｉ、無線ＵＳＢ、無線ＩＥＥＥ  １３９４などの通信プロトコルが使われうる。その他にも、インターフェースモジュール２３０は、アクセスポイントのようなデータ伝達中継装置を経て放送録画装置１００との通信をも行える。
【００５４】
メタデータ管理モジュール２４０は、放送録画装置１００から受信されたメタデータを管理する。例えば、コンテンツ再生モジュール２１０が保存モジュール２５０に保存された放送コンテンツを再生させれば、メタデータ管理モジュール２４０は、再生される放送コンテンツのメタデータをアップデートする。この際、メタデータの再生履歴情報が最近の情報にアップデートされうる。メタデータ管理モジュール２４０により管理されるメタデータは、図３を参照して説明したようである。
【００５５】
保存モジュール２５０は、放送コンテンツとメタデータとを保存する。このために保存モジュール２５０は、フラッシュメモリのようにデータを読出し、書込み、消去しうる性質を有する不揮発性メモリを含む。
【００５６】
制御モジュール２６０は、携帯用コンテンツ再生装置２００を構成する各モジュール２１０ないし２５０の動作を制御する。また、制御モジュール２６０は、インターフェースモジュール２３０が放送録画装置１００と連結されれば、放送録画装置１００に携帯用コンテンツ再生装置２００についての装置情報を伝送させる。装置情報は、携帯用コンテンツ再生装置２００の機能情報と識別情報とを含みうる。ここで、機能情報は、携帯用コンテンツ再生装置２００が再生させうるファイルの種類（例えば、ＭＰＥＧ、ＡＶＩなどの動画像ファイル、ＭＰ３、ＭＩＤＩなどのオーディオファイルなど）を含み、識別情報は、携帯用コンテンツ再生装置２００の製品シリアルナンバー、ＭＡＣアドレスなどを含みうる。
【００５７】
図２及び図４で、‘モジュール’は、ソフトウェアまたはＦＰＧＡ（フィールドプログラマブルゲートアレイ）または注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ；ＡＳＩＣ）のようなハードウェア構成要素を意味し、モジュールは所定の役割を行う。しかし、モジュールはソフトウェアまたはハードウェアに限定されるものではない。モジュールは、アドレッシング可能な保存媒体に存在すべく構成されても良く、１つまたはそれ以上のプロセッサーを実行させるように構成されても良い。したがって、一例としてモジュールは、ソフトウェア構成要素、客体指向ソフトウェア構成要素、クラス構成要素及びタスク構成要素のような構成要素と、プロセス、関数、属性、プロシージャ、サブルーチン、プログラムコードのセグメント、ドライバー、ファームウェア、マイクロコード、回路、データ、データベース、データ構造、テーブル、アレイ、及び変数を含む。構成要素とモジュールから提供される機能は、より少数の構成要素及びモジュールで結合されるか、追加的な構成要素とモジュールにさらに分離されうる。
【００５８】
以下、図５及び図９を参照して放送録画装置１００と携帯用コンテンツ再生装置２００の動作過程についてさらに具体的に説明する。
【００５９】
図５は、本発明の一実施形態による放送録画装置のメタデータ管理過程を示すフローチャートである。
【００６０】
まず、既定の予約時間が到達するか、ユーザ入力モジュール１３０を通じてユーザから放送録画命令が入力されれば、録画モジュール１１０は放送受信装置２０により復元された放送コンテンツを録画する（Ｓ１１０）。
【００６１】
録画モジュール１１０が放送コンテンツを録画すれば、メタデータ管理モジュール１７２は、録画された放送コンテンツについてのメタデータを生成する（Ｓ１２０）。この際、メタデータに含まれるコンテンツ情報は、録画された放送コンテンツについての付加情報から抽出しうる。また、メタデータに含まれる再生履歴情報は、所定の初期値に設定しうる。
【００６２】
次いで、録画された放送コンテンツのうちから特定放送コンテンツに対する再生命令がユーザ入力モジュール１３０を通じて入力されれば（Ｓ１３０）、コンテンツ再生モジュール１２０は、放送コンテンツを再生させる（Ｓ１４０）。この際、コンテンツ再生モジュール１２０は、再生対象となる放送コンテンツのメタデータを通じて放送コンテンツの最近の再生位置を確認し、確認された最近の再生位置から放送コンテンツを再生させうる。
【００６３】
コンテンツ再生モジュール１２０が放送コンテンツを再生させれば、メタデータ管理モジュール１７２は、再生された放送コンテンツについてのメタデータをアップデートする（Ｓ１５０）。さらに具体的に、再生された放送コンテンツについてのメタデータに含まれた再生履歴情報がアップデートされるが、例えば、再生回数がカウントされ、最近の再生日時及び最近の再生位置が放送コンテンツの再生が中断される時点及びその時の放送コンテンツの再生位置にアップデートされうる。
【００６４】
図６は、本発明の一実施形態による携帯用コンテンツ再生装置のメタデータ管理過程を示すフローチャートである。
【００６５】
まず、インターフェースモジュール２３０が放送録画装置１００と連結されれば（Ｓ２１０）、放送録画装置１００を通じて放送コンテンツ及びメタデータが保存モジュール２５０に保存される（Ｓ２２０）。このための放送録画装置１００の動作について、図７を参照して後述する。
【００６６】
次いで、保存モジュール２５０に保存された放送コンテンツのうちから特定放送コンテンツに対する再生命令がユーザ入力モジュール２２０を通じて入力されれば（Ｓ２３０）、コンテンツ再生モジュール２１０は、放送コンテンツを再生させる（Ｓ２４０）。この際、コンテンツ再生モジュール２１０は、再生対象となる放送コンテンツのメタデータを通じて放送コンテンツの最近の再生位置を確認し、確認された最近の再生位置から放送コンテンツをも再生させうる。
【００６７】
コンテンツ再生モジュール２１０が放送コンテンツを再生させれば、メタデータ管理モジュール２４０は、再生された放送コンテンツについてのメタデータをアップデートする（Ｓ２５０）。さらに具体的に、再生された放送コンテンツについてのメタデータに含まれた再生履歴情報がアップデートされるが、例えば、再生回数がカウントされ、最近の再生日時及び最近の再生位置が放送コンテンツの再生が中断される時点及びその時の放送コンテンツの再生位置にアップデートされうる。
【００６８】
図７は、本発明の一実施形態による放送コンテンツ同期化方法を示すフローチャートである。
【００６９】
まず、携帯装置インターフェースモジュール１５０を通じて携帯用コンテンツ再生装置２００が連結されれば、認証モジュール１６０は、携帯用コンテンツ再生装置２００に対する認証作業を行う（Ｓ３１０）。このような認証過程については図８を参照して後述する。
【００７０】
携帯用コンテンツ再生装置２００に対する認証が完了すれば、メタデータ管理モジュール１７２は携帯用コンテンツ再生装置２００からメタデータを獲得する（Ｓ３１５）。前述したように、携帯用コンテンツ再生装置２００から獲得したメタデータは、携帯用コンテンツ再生装置２００に保存された放送コンテンツについてのコンテンツ情報と再生履歴情報とを含む。
【００７１】
次いで、メタデータ管理モジュール１７２は、獲得したメタデータを自身が管理するメタデータと同期化させる（Ｓ３２０）。この際、メタデータ管理モジュール１７２が管理するメタデータの再生履歴情報は、前述したように最近の情報にアップデートされうる。
【００７２】
例えば、送コンテンツ‘Ａ’のメタデータを‘メタデータａ’とする場合、放送録画装置１００が保存しているメタデータａの使用履歴情報のうち、最近の再生時間が２００５年９月１２日午前１０時１０分であり、携帯用コンテンツ再生装置２００が保存しているメタデータａの使用履歴情報のうち、最近再生時間が２００５年９月１３日午後３時４０分である場合、携帯用再生装置２００に保存されたメタデータａを基準として同期化作業が行われる。
【００７３】
次いで、コンテンツ検索モジュール１７４は、携帯用コンテンツ再生装置２００から獲得したメタデータを通じて携帯用コンテンツ再生装置２００に保存された放送コンテンツのうち、再生が完了した放送コンテンツを確認する（Ｓ３２５）。
【００７４】
この際、コンテンツ管理モジュール１７６は、再生が完了したと確認された放送コンテンツを携帯用コンテンツ再生装置２００で削除させうる（Ｓ３３０）。
【００７５】
コンテンツ検索モジュール１７４は、再生が完了したと確認された放送コンテンツの次回に該当する放送コンテンツを録画モジュール１１０が録画しておいた放送コンテンツのうちから検索する（Ｓ３３５）。この際、次回に該当する放送コンテンツの検索のためにメタデータのコンテンツ情報が使われうる。例えばコンテンツ情報のうち、タイトルやシリアルナンバーなどを通じて同じシリーズ物の放送コンテンツが識別され、エピソード順番や放映日などを通じて放送コンテンツ間の先後関係が識別されうる。
【００７６】
放送コンテンツが検索されれば（Ｓ３４０）、コンテンツ検索モジュール１７４は、検索された放送コンテンツが携帯用コンテンツ再生装置２００に既に保存されているか否か、かつ既に再生が完了した否かを判断する（Ｓ３４５、Ｓ３５０）。検索された放送コンテンツが携帯用コンテンツ再生装置２００に既に保存されているか否かは、携帯用コンテンツ再生装置２００から獲得したメタデータのコンテンツ情報を通じて確認しうる。また、検索された放送コンテンツの再生が既に完了したか否かは、過程Ｓ３２０で同期化されたメタデータの再生履歴情報を通じて確認しうる。
【００７７】
もし、検索された放送コンテンツが携帯用コンテンツ再生装置２００に既に保存されているか、既に再生が完了したならば、コンテンツ検索モジュール１７４は、検索されたコンテンツの次回に該当する放送コンテンツを検索する（Ｓ３３５）。
【００７８】
しかし、過程Ｓ３４５及び過程Ｓ３５０の判断結果、検索された放送コンテンツが携帯用コンテンツ再生装置２００に保存されておらず、再生も完了していなければ、コンテンツ管理モジュール１７６は、検索された放送コンテンツを携帯用コンテンツ再生装置２００に保存させる（Ｓ３５５）。この際、コンテンツ管理モジュール１７６は、放送コンテンツのメタデータも共に携帯用コンテンツ再生装置２００に保存させうる。また、変換モジュール１８０が放送コンテンツの大きさを臨界比率で減少させる過程が追加され、この場合、コンテンツ管理モジュール１７６は、ファイルサイズが減少した放送コンテンツを携帯用コンテンツ再生装置２００に保存させる。
【００７９】
次いで、コンテンツ管理モジュール１７６は、携帯用コンテンツ再生装置２００に追加的な放送コンテンツの保存ができるか否かを判断する（Ｓ３６０）。この時の判断基準は、携帯用コンテンツ再生装置２００に放送コンテンツを保存させうる余裕保存空間が残っているか否か、かつ、ユーザが予めユーザ入力モジュール１３０を通じて設定した臨界回数ほど携帯用コンテンツ再生装置２００に放送コンテンツを保存させたか否かでありうる。
【００８０】
判断基準によって、携帯用コンテンツ再生装置２００に余裕保存空間が残っているか、臨界回数ほど携帯用コンテンツ再生装置２００に放送コンテンツを保存させていないならば、コンテンツ検索モジュール１７４は、Ｓ３５５で保存させた放送コンテンツの次回に該当する放送コンテンツを検索しうる（Ｓ３３５）。
【００８１】
これにより、ユーザが鑑賞していない複数の放送コンテンツを携帯用放送コンテンツ再生装置２００に自動で保存させうる。
【００８２】
一方、Ｓ３４０の判断結果、検索された放送コンテンツがなければ、コンテンツ管理モジュール１７６は、該当放送コンテンツに対する予約録画が設定されているか否かを確認し（Ｓ３６５）、予約録画が設定されていなければ、該当放送コンテンツに対する予約録画を設定する（Ｓ３７０）。予約録画の設定に必要な放映日付、放映時間帯、放映チャンネルなどに関する情報は、放送受信装置２０から獲得した付加情報を通じて分かる。
【００８３】
図８は、図７で携帯用コンテンツ再生装置を認証するＳ３１０をさらに具体的に示すフローチャートである。
【００８４】
まず、携帯用コンテンツ再生装置２００が携帯装置インターフェースモジュール１５０に連結されれば（Ｓ４１０）、認証モジュール１６０は、携帯用コンテンツ再生装置２００から携帯用コンテンツ再生装置２００の装置情報を獲得する（Ｓ４２０）。装置情報は、携帯用コンテンツ再生装置２００の機能情報、識別情報などを含みうる。
【００８５】
認証モジュール１６０は、携帯用コンテンツ再生装置２００から獲得した装置情報を通じて携帯用コンテンツ再生装置２００が図７を通じて説明したコンテンツ同期化過程の実行に正当な装置であるか否かを判断する（Ｓ４３０）。Ｓ４３０の判断基準としては、携帯用コンテンツ再生装置２００が放送コンテンツを再生させうる装置であるか否か、かつ、携帯用コンテンツ再生装置２００が予めユーザにより登録された装置であるか否かでありうる。
【００８６】
携帯用コンテンツ再生装置２００が正当な装置と判断されれば、図７のＳ３１５からその以後の過程が行われうる。しかし、携帯用コンテンツ再生装置２００が正当な装置ではないと判断されれば、制御モジュール１９０は、携帯用コンテンツ再生装置２００とのコンテンツ同期化作業を中断させる（Ｓ４４０）。
【００８７】
図９は、図７で携帯用コンテンツ再生装置に放送コンテンツを保存させるＳ３５５をさらに具体的に示すフローチャートである。
【００８８】
変換モジュール１８０は、Ｓ３３５で検索された放送コンテンツが、携帯用コンテンツ再生装置２００で再生可能なファイルフォーマットであるかを確認する（Ｓ５１０）。携帯用コンテンツ再生装置２００で再生可能なファイルフォーマットは、図８のＳ４２０を通じて獲得した装置情報やユーザにより予め設定された情報を通じて分かる。
【００８９】
もし、検索された放送コンテンツが携帯用コンテンツ再生装置２００で再生可能なファイルフォーマットでなければ、変換モジュール１８０は、検索された放送コンテンツを携帯用コンテンツ再生装置２００で再生可能なファイルフォーマットに変換させる（Ｓ５２０）。
【００９０】
次いで、コンテンツ管理モジュール１７６は、変換された放送コンテンツを携帯用コンテンツ再生装置２００に保存させる（Ｓ５３０）。
【００９１】
以上、添付図を参照して本発明の実施例を説明したが、本発明が属する技術分野で当業者ならば本発明がその技術的思想や必須特徴を変更せずとも他の具体的な形に実施されうるということが理解できるであろう。したがって、前述した実施例は全ての面で例示的なものであって、限定的なものではないと理解せねばならない。
【産業上の利用可能性】
【００９２】
本発明は、放送コンテンツ同期化方法関連の技術分野に好適に適用されうる。
【図面の簡単な説明】
【００９３】
【図１】本発明の一実施形態による放送コンテンツ同期化システムを示す図である。
【図２】本発明の一実施形態による放送録画装置を示すブロック図である。
【図３】本発明の一実施形態によるメタデータを示す図である。
【図４】本発明の一実施形態による携帯用コンテンツ再生装置を示すブロック図である。
【図５】本発明の一実施形態による放送録画装置のメタデータ管理過程を示すフローチャートである。
【図６】本発明の一実施形態による携帯用コンテンツ再生装置のメタデータ管理過程を示すフローチャートである。
【図７】本発明の一実施形態による放送コンテンツ同期化方法を示すフローチャートである。
【図８】図７で携帯用コンテンツ再生装置を認証するＳ３１０をさらに具体的に示すフローチャートである。
【図９】図７で携帯用コンテンツ再生装置に放送コンテンツを保存させるＳ３５５をさらに具体的に示すフローチャートである。
【符号の説明】
【００９４】
１１０      録画モジュール
１２０      コンテンツ再生モジュール
１３０      ユーザ入力モジュール
１４０      固定装置インターフェースモジュール
１５０      携帯装置インターフェースモジュール
１６０      認証モジュール
１７０      コンテンツ同期化モジュール
１８０      変換モジュール
１９０      制御モジュール
２１０      コンテンツ再生モジュール
２２０      ユーザ入力モジュール
２３０      インターフェースモジュール
２４０      メタデータ管理モジュール
２５０      保存モジュール
２６０      制御モジュール
【図１】
2007089178.tif 000003
【図２】
2007089178.tif 000004
【図３】
2007089178.tif 000005
【図４】
2007089178.tif 000006
【図５】
2007089178.tif 000007
【図６】
2007089178.tif 000008
【図７】
2007089178.tif 000009
【図８】
2007089178.tif 000010
【図９】
2007089178.tif 000011